(57)【特許請求の範囲】
【請求項１】
通信回線を介して送信される画像データを受信する受信手段と、
該受信手段によって受信された前記画像データを記憶する第１の記憶手段と、
該第１の記憶手段に記憶されている前記画像データを立体的に印刷する第１の立体印刷手段と、
前記第１の記憶手段によって記憶された前記画像データから文字情報を光学的に読み取る光学的読み取り手段と、
該光学的読み取り手段によって読み取られた前記文字情報を点字データに変換する点字データ変換手段と、
該点字データ変換手段によって変換された前記点字データを変倍処理する変倍手段と、
前記第１の立体印刷手段による印刷終了後に前記第１の記憶手段に記憶されている前記画像データを消去する消去手段と、
前記変倍手段によって変倍処理された前記点字データを前記第１の記憶手段に記憶する第２の記憶手段と、
該第２の記憶手段によって記憶されている前記点字データを含む画像データを立体的に印刷する第２の立体印刷手段とを有することを特徴とするファクシミリ装置。
【請求項２】
前記第１の立体印刷手段および前記第２の立体印刷手段によって画情報が印刷される際に、色の濃淡を凹凸で表すことを特徴とする請求項１記載のファクシミリ装置。
【発明の詳細な説明】
【０００１】
【発明の属する技術分野】
本発明は、視覚障害者用のファクシミリ装置に関する。
【０００２】
【従来の技術】
従来の視覚障害者用ファクシミリ装置においては、受信した画像データから文字情報を読み取り、点字データへと変換して出力するファクシミリ装置が特開平５−８３４５３号公報に開示されている。
【０００３】
また、視覚障害者用ファクシミリ装置として、受信した画像データから文字情報を読み取り、点字データへ変換すると共に音声データへと変換して、利用者に音声で受信内容を知らせるといったファクシミリ装置が特開平６−２２２７１１号公報に開示されている。
【０００４】
【発明が解決しようとする課題】
しかしながら、上記従来例に示されるファクシミリ装置において、視覚障害者は、受信した画像データから文字情報を得ることは可能であるが、どのような画情報を得たのか、ということを知ることは不可能であるという問題があった。
【０００５】
本発明は、文字情報と画情報とが混在した画像データを受信した際に、文字情報部分を点字データに変換し、立体印刷して出力することで視覚障害者が利用しやすいファクシミリ装置を提供することを目的とする。
【０００６】
【課題を解決するための手段】
前記課題を解決するために、請求項１記載の発明は、通信回線を介して送信される画像データを受信する受信手段と、受信手段によって受信された画像データを記憶する第１の記憶手段と、第１の記憶手段に記憶されている画像データを立体的に印刷する第１の立体印刷手段と、第１の記憶手段によって記憶された画像データから文字情報を光学的に読み取る光学的読み取り手段と、光学的読み取り手段によって読み取られた文字情報を点字データに変換する点字データ変換手段と、点字データ変換手段によって変換された点字データを変倍処理する変倍手段と、第１の立体印刷手段による印刷終了後に第１の記憶手段に記憶されている画像データを消去する消去手段と、変倍手段によって変倍された点字データを第１の記憶手段に記憶する第２の記憶手段と、第２の記憶手段によって記憶されている点字データを含む画像データを立体的に印刷する第２の立体印刷手段とを有することを特徴とする。
【０００７】
請求項２記載の発明は、請求項１記載の発明において、第１の立体印刷手段および第２の立体印刷手段によって画情報が印刷される際に、色の濃淡を凹凸で表すことを特徴とする。
【００１０】
【発明の実施の形態】
次に、添付図面を参照して本発明の一実施形態であるファクシミリ装置を詳細に説明する。図１は、本発明の一実施形態であるファクシミリ装置のシステム構成を示すブロック構成図である。
【００１１】
本発明の一実施形態であるファクシミリ装置は、システム制御部（ＣＰＵ）１と、ＦＡＸ通信部２と、文字認識部（ＯＣＲ）３と、画像メモリ部４と、立体印刷部５と、通信回線６とから構成されている。
【００１２】
システム制御部１は、ファクシミリ装置全体の制御、文字情報を点字データへ変換、変換処理された点字データの変倍処理を行う。ＦＡＸ通信部２は、通信回線６を介して画像データの受信及び送信を行う。文字認識部３は、送信された画像データから文字情報の部分を光学的に読み取り文字データを形成する。画像メモリ部４は、通信回線６を介してＦＡＸ通信部２によって転送される画像データを記憶し、また、システム制御部１で変換処理された点字データを記憶する。
【００１３】
次に、本発明の第１の実施形態について図２のフローチャートに基づいて詳細に説明する。まず、通信回線６を介してＦＡＸ通信部２で画像データを受信する（ステップ１）。受信した画像データを画像メモリ部４に記憶し（ステップ２）、文字認識部３で受信した画像データから文字情報のみを光学的に読み取る（ステップ３）。文字認識部３で読み取られた文字データをシステム制御部１へ転送する（ステップ４）。転送された文字データは、システム制御部１で点字データに変換され（ステップ５）、さらに変換された点字データは、変倍処理を施される（ステップ６）。ステップ６において変倍処理された点字データは、画像メモリ部４に転送され、ステップ２で記憶された画像データの文字情報部分に上書きされる（ステップ７）。画像メモリ部４で上書きされたデータは、立体印刷部５に転送され（ステップ８）、立体印刷部５において印刷処理が行われる（ステップ９）。
【００１４】
第１の実施形態で示されるように、ステップ７において、受信した画像データの文字情報の部分を点字データに置き換えるように上書きし、さらに、文字情報以外の画情報に関しては、画情報に用いられる色の濃淡を印刷の凹凸で示すように構成することで視覚障害者が手で触れるときに、どのようなものが送信されてきたのかが実感できる。
【００１５】
次に、本発明の第２の実施形態について図３のフローチャートに基づいて詳細に説明する。まず、通信回線６を介してＦＡＸ通信部２で画像データを受信する（ステップ１１）。受信した画像データを画像メモリ部４に記憶し（ステップ１２）、文字認識部３で受信した画像データから文字情報のみを光学的に読み取る（ステップ１３）。文字認識部３で読み取られた文字データをシステム制御部１へ転送する（ステップ１４）。ステップ１２において、画像メモリ部４に記憶された画像データを立体印刷部５に転送し、立体印刷処理を行い（ステップ１５）、印刷処理終了後に画像メモリ部４に記憶されている画像データを消去する（ステップ１６）。システム制御部１は、ステップ１４で転送された文字データを点字データに変換し（ステップ１７）、変換された点字データを画像メモリ部４に書き込む（ステップ１８）。画像メモリ部４に書き込まれた点字データを立体印刷部５に転送して（ステップ１９）、印刷処理を行う（ステップ２０）。
【００１６】
第２の実施形態で示されるように、ステップ１５において、送信された元の画像データを立体的に印刷処理して出力し、さらにステップ２０にて点字データを含む立体印刷処理を行うことで、視覚障害者は、文字情報と画情報が重なって印刷されている原稿が送信される場合でも、文字情報は点字データで、画情報は立体印刷で、といった具合に別々に出力されるので文字情報と画情報が重なっている部分の情報を実際に手に触れて実感することができる。
【００１７】
また、本発明の第１の実施形態および第２の実施形態において、画情報を立体的に印刷する際に、画情報に用いられる色の濃淡を印刷物表面の凹凸で表すことで、視覚障害者が手にした時に点字以外の情報が大変分かりやすいものである。
【００１８】
【発明の効果】
以上の説明より明らかなように、請求項１記載の発明によれば、点字に置き換えられた画像と送信された際に記憶された画像とを別々に出力することで、文字情報と画情報が重なっている原稿を受信した場合でも、視覚障害者は、文字情報と画情報が混在した原稿を読むことができる。
【００１９】
請求項２記載の発明によれば、請求項１記載の発明において、画情報を立体的に印刷する際に、画情報に用いられる色の濃淡を印刷物表面の凹凸で表すことで、視覚障害者にとって大変分かりやすいものとなる。
【図面の簡単な説明】
【図１】本発明の一実施形態であるファクシミリ装置の構成を示すブロック構成図である。
【図２】本発明の第１の実施形態の動作例を示すフローチャートである。
【図３】本発明の第２の実施形態の動作例を示すフローチャートである。
【符号の説明】
１  システム制御部（ＣＰＵ）
２  ＦＡＸ通信部
３  文字認識部（ＯＣＲ）
４  画像メモリ部
５  立体印刷部
６  通信回線
【図１】
0003682370.tif 000002
【図２】
0003682370.tif 000003
【図３】
0003682370.tif 000004